(57)【特許請求の範囲】
【請求項１】
携帯電話無線機本体に嵌合したバッテリーの保持、保持解除を行う携帯電話無線機のバッテリー嵌合構造において、
回転軸に結合される突起部を有し、前記突起部を回転させて前記バッテリーの保持、保持解除を行うツマミと、
前記ツマミの前記回転軸を保持し、前記ツマミが前記バッテリーの保持解除を行うときに前記ツマミの前記突起部を収容するように携帯電話無線機本体に形成されるツマミ係止部とを備え、
前記携帯電話無線機本体の前記ツマミ係止部は弾性変形可能な爪部と、前記爪部に結合される軸受け部とを有し、前記ツマミの前記回転軸を圧入し、圧入された前記回転軸を前記軸受け部で保持することを特徴とする携帯電話無線機のバッテリー嵌合構造。
【請求項２】
前記バッテリーを取り外したスロットから前記携帯電話無線機本体の前記爪部へ前記ツマミの前記回転軸を圧入することを特徴とする、請求項１に記載の携帯電話無線機のバッテリー嵌合構造。
【請求項３】
前記携帯電話無線機本体のツマミ係止部の付近に前記バッテリーの保持、保持解除に合わせて、保持、保持解除の表示を行うことを特徴とする、請求項１に記載の携帯電話無線機のバッテリー嵌合構造。
【請求項４】
前記ツマミは円板の周囲の一部に切り込みを入れた腕部と、前記腕部上の凸部とを有し、
前記携帯電話無線機本体の前記ツマミ係止部は、前記バッテリーの保持、保持解除に対応して前記ツマミの前記腕部の前記凸部を係合する２つの凹部を有することを特徴とする、請求項１に記載の携帯電話無線機のバッテリー嵌合構造。
【請求項５】
携帯電話無線機本体に嵌合したバッテリーの保持、保持解除を行う携帯電話無線機のバッテリー嵌合構造において、
回転軸にそれぞれ結合される円錐台の割軸と切り欠いた円板とを有し、前記円板の切り欠いた付近に切り込みをいれて腕部を形成し、前記腕部に凸部を有し、前記切り込み円板を１８０度回転して前記バッテリーの保持、保持解除を行うツマミと、
前記ツマミの前記円錐台の割り軸が圧入される軸受け穴と、前記軸受け穴に対して対称に前記バッテリーの保持、保持解除に対応して前記ツマミの前記腕部の前記凸部を係合する２つの凹部を有するように携帯電話無線機本体に形成されるツマミ係止部とを有することを特徴とする携帯電話無線機のバッテリー嵌合構造。
【発明の詳細な説明】
【０００１】
【産業上の利用分野】
本発明は携帯電話無線機のバッテリー嵌合構造に関する。特に、本発明は、部品数、組立工数の削減、密閉構造が可能である携帯電話無線機のバッテリー嵌合構造に関する。
【０００２】
【従来の技術】
図１０は従来の携帯電話無線機のバッテリー嵌合構造を示す図である。本図に示すように、従来の携帯電話無線機のバッテリー嵌合構造は、バッテリー１９が嵌合される携帯電話無線機本体１５の背面にツマミ１６とスプリング１７を組み込む構造となっている。
【０００３】
ツマミ１６には上部板１６Ａ、下部板１６Ｂ、上部板１６Ａと下板１６Ｂの間の柱部１６Ｃが設けられる。
携帯電話無線機本体１５にはスロット３７、ツマミ係止凹４０が設けられ、携帯電話無線機本体１５のスロット３７にはバッテリー１９が収容される。
【０００４】
ツマミ係止凹４０には中段に突縁部４０Ａが設けられる。ツマミ係止凹４０の突縁部４０Ａの上部にはツマミ１６の上部板１６Ａが嵌合し、ツマミ係止凹４０の突縁部４０Ａの下部にはツマミ１６の下部板１６Ｂが嵌合し、ツマミ係止凹４０の突縁部４０Ａの部分にはツマミ１６の柱部１６Ｃが嵌合するようにしてある。
【０００５】
ツマミ係止凹４０へのツマミ１６の収容ではスロット３７から、つまり、本図に表示されている「圧入方向」から携帯電話無線機本体１５のツマミ係止凹４０に向けてツマミ１６が圧入される。
【０００６】
図１１は図１０のバッテリー１９が嵌合された携帯電話無線機本体１５の線Ｃ−Ｃについての断面図である。
本図に示すように、ツマミ１６にはピン１８が設けられており、スプリング１７はツマミ１６のピン１８に挿入される。
携帯電話無線機本体１５のツマミ係止凹４０にはストッパー３５が設けられ、ストッパー３５には貫通穴３８が設けられる。
【０００７】
スプリング１７を挿入したツマミ１６のピン１８は、携帯電話無線機本体１５のツマミ係止凹４０におけるストッパー３５の貫通穴３８に差し込んで固定される。
バッテリー１９にはツマミ係止凹４１が設けられ、ツマミ係止凹４１は携帯電話無線機本体１５のツマミ係止凹４０に対向し、ツマミ係止凹４０とツマミ係止凹４１にはツマミ１６が収容される。
【０００８】
ツマミ１６は、バッテリー１９のツマミ係止凹４１により携帯電話無線機本体１５のツマミ係止凹４０内に圧入される。
このようにして、ツマミ１６のピン１８に挿入されたスプリング１７を携帯電話無線機本体１５のストッパー３５に押しつけた復元力でバッテリー１９が固定される。
【０００９】
また、携帯電話無線機本体１５のツマミ係止凹４０のストッパー３５には貫通穴３８が設けられ、貫通穴はピン１８を固定する。
携帯電話無線機本体１５のツマミ係止凹４０に爪２０が設けられ、爪２０はツマミ１６の脱落を防止している。
【００１０】
【発明が解決しょうとする課題】
しかしながら、上記携帯電話無線機のバッテリー嵌合構造には、スプリング１７が部品数の削減、組立工数の削減に支障を生じさせているという問題がある。さらに、携帯電話無線機本体１５の爪２０は金型構成上、密閉構造にすることができず、このため、貫通穴３８を経由して、携帯電話無線機本体１５の内部へ水分が侵入する経路になる場合があるという問題がある。
【００１１】
したがって、本発明は上記問題点に鑑みて、部品数、組立工数の削減が可能で、密閉構造が可能である携帯電話無線機のバッテリー嵌合構造を提供することを目的とする。
【００１２】
【課題を解決するための手段】
本発明は前記問題点を解決するために、携帯電話無線機本体に嵌合したバッテリーの保持、保持解除を行う携帯電話無線機のバッテリー嵌合構造において、回転軸に結合される突起部を有し、前記突起部を回転させて前記バッテリーの保持、保持解除を行うツマミと、前記ツマミの前記回転軸を保持し、前記ツマミが前記バッテリーの保持解除を行うときに前記ツマミの前記突起部を収容するように携帯電話無線機本体に形成されるツマミ係止部とを備え、前記携帯電話無線機本体の前記ツマミ係止部は弾性変形可能な爪部と、前記爪部に結合される軸受け部とを有し、前記ツマミの前記回転軸を圧入し、圧入された前記回転軸を前記軸受け部で保持することを特徴とする携帯電話無線機のバッテリー嵌合構造を提供する。
【００１３】
この手段により、ツマミを回転させることにより、バッテリーを嵌合させるようにしたので、従来必要とされていたスプリングを不要としたことにより、部品数、組立工数の削減可能となり、且つ、ツマミに携帯電話無線機本体の内側への貫通穴が無いことから、水分の携帯電話無線機本体への侵入を防ぐことが可能になり、密閉構造が可能となる。このためコスト低減と生産性向上への寄与、片手で操作可能なためエンドユーザーの取り扱い性の向上が可能になる。
【００１４】
さらに、爪部の弾性変形を利用するのでツマミの取り付けが容易であり、爪部によりツマミの脱落を防止できる。
【００１５】
好ましくは、前記バッテリーを取り外したスロットから前記携帯電話無線機本体の前記爪部へ前記ツマミの前記回転軸を圧入する。
この手段により、前記バッテリーを取り外したスロットの広い空間からツマミの圧入を行うので、ツマミの取り付け性が向上する。
好ましくは、前記携帯電話無線機本体のツマミ係止部の付近に前記バッテリーの保持、保持解除に合わせて、保持、保持解除の表示を行う。
【００１６】
この手段により、ユーザーによるバッテリーの取り外しが容易になる。
好ましくは、前記ツマミは円板の周囲の一部に切り込みを入れた腕部と、前記腕部上の凸部とを有し、前記携帯電話無線機本体の前記ツマミ係止部は、前記バッテリーの保持、保持解除に対応して前記ツマミの前記腕部の前記凸部を係合する２つの凹部を有する。
【００１７】
この手段により、係合力以上の回転力を付加しなければ、ツマミは回転しないので、不用意にバッテリーが脱落したり、バッテリー取り外し時に取り外しができなくなることはない。
【００１８】
さらに、本発明は、携帯電話無線機本体に嵌合したバッテリーの保持、保持解除を行う携帯電話無線機のバッテリー嵌合構造において、回転軸にそれぞれ結合される円錐台の割軸と切り欠いた円板とを有し、前記円板の切り欠いた付近に切り込みをいれて腕部を形成し、前記腕部に凸部を有し、前記切り込み円板を１８０度回転して前記バッテリーの保持、保持解除を行うツマミと、前記ツマミの前記円錐台の割り軸が圧入される軸受け穴と、前記軸受け穴に対して対称に前記バッテリーの保持、保持解除に対応して前記ツマミの前記腕部の前記凸部を係合する２つの凹部を有するように携帯電話無線機本体に形成されるツマミ係止部とを有することを特徴とする携帯電話無線機のバッテリー嵌合構造を提供する。
【００１９】
この手段により、ツマミの円周方向でバッテリーを押さえつけることができるため、携帯電話無線機本体の長手方向だけでなく、同時に左右のガタも押さえることができる。また、ツマミの割軸を弾性変形させ、外側から携帯電話無線機本体に圧入させるだけの作業になるため、組立工数を削減することが可能になる。また、ツマミに携帯電話無線機本体の内側への貫通穴が無いことから、水分の携帯電話無線機本体への侵入を防ぐことが可能になる。
【００２０】
【発明の実施の形態】
以下、本発明の実施の形態について図面を参照して説明する。
図１は本発明に係る携帯電話無線機のバッテリー嵌合構造を示す図である。本図に示すように、携帯電話無線機は携帯電話無線機本体１と、携帯電話無線機本体１の背面で嵌合し、着脱可能なバッテリー２と、携帯電話無線機本体１に回動可能に取り付けられるツマミ３で構成される。
【００２１】
ツマミ３には上段部３Ａ、突起１２、上段部３Ａと突起１２の間の回転軸６（図３参照）が設けられる。
携帯電話無線機本体１にはスロット１４、ツマミ係止凹３９が設けられ、携帯電話無線機本体１のスロット１４にはバッテリー２が収容される。
携帯電話無線機本体１のツマミ係止凹３９の中段には爪４と軸受け部５が設けられ、爪４は弾性変形可能にしてある。
【００２２】
携帯電話無線機本体１のツマミ係止凹３９における爪４と軸受け部５の下部には収容部３９Ａが設けられ、収容部３９Ａはツマミ３の突起１２を収容するようにしてある。
携帯電話無線機本体１のツマミ係止凹３９における爪４にツマミ３の回転軸６が圧入して軸受け部５に収容するようにしてある。
【００２３】
携帯電話無線機本体１のツマミ係止凹３９における爪４と軸受け部５の上部にはツマミ３の上段部３Ａを収容するようにしてある。
なお、ツマミ３は、スロット１４から、つまり、本図に表示されている「圧入方向」から携帯電話無線機本体１のツマミ係止凹３９に向けて圧入される。広い空間から圧入するので取り扱い性が向上する。
バッテリー２には２つの係止凸１３と図示しない給電端子が設けられる。
【００２４】
さらに、携帯電話無線機本体１には図示しない係止凹と給電端子が設けられ、携帯電話無線機本体１の係止凹はバッテリー２の係止凸１３と対向し係合し、携帯電話無線機本体１の給電端子はバッテリー２の給電端子と対向し電気的に接続される。
携帯電話無線機本体１からバッテリー２の着脱を行うために携帯電話無線機本体１には「ＦＲＥＥ」、「ＬＯＣＫ」の表示が行われる。ユーザーの取り扱い性が向上する。
【００２５】
このように、ツマミ３を回転させバッテリー２を固定、保持する構造としたので、従来のようにスプリングを不要として部品点数が削減可能となる。
また、従来のように、「スプリングをツマミに挿入してから携帯電話無線機本体に圧入する」作業が「ツマミを携帯電話無線機本体に圧入する」だけの作業になり、組み立て工数を削減することが可能になる。
【００２６】
図２は図１における携帯電話無線機本体１の爪４、軸受け部５の付近部分を拡大した部分拡大図である。
図２に示すように、携帯電話無線機本体１のツマミ係止凹３９における爪４、軸受け部５の周囲付近に凹９、凹１０が設けられる。
本図に示す、携帯電話無線機本体１のツマミ係止凹３９の凹９は携帯電話無線機本体１にバッテリー２が固定されたとき、ツマミ３の不用意な回転を防止し、バッテリー２の不用意なバッテリー２の脱落を防止するために使用される。
【００２７】
また、携帯電話無線機本体１のツマミ係止凹３９の凹１０は携帯電話無線機本体１に対するバッテリー２の固定を解除したときに、ツマミ３の不用意な回転を防止し、バッテリー２を確実に取り外すために使用される。
図３は図１におけるツマミ３の構造を示す図である。本図（ａ）はツマミ３の正面図であり、本図（ｂ）はツマミ３の裏面図であり、本図（ｃ）は本図（ｂ）のツマミ３を左側から見た側面図であり、本図（ｄ）は本図（ｂ）のツマミ３を右側から見た側面図であり、本図（ｅ）は本図（ｂ）のツマミ３を下側から見た側面図である。
【００２８】
本図に示すように、ツマミ３には腕部７が設けられ、腕部７は、ツマミ３の円周部分を切り込んで作られ、弾性的に変形可能にしてある。腕部７の裏側には凸８が設けてある。
ツマミ３の腕部７の凸８は、携帯電話無線機本体１の凹９、凹１０に係合し、係合力以上の回転力が付加しなければツマミ３が回転しないようにし、バッテリー２の不用意な脱落の防止、確実な取り外しを行うために使用される。
【００２９】
さらにツマミ３には回転軸６が設けられる。回転軸６には突起１２が取り付けられ、突起１２はツマミ３の半径方向に突出する。
ツマミ３のツマミ係止部３９への圧入の際にツマミ３の回転軸６は携帯電話無線機本体１のスロット１４の方向から携帯電話無線機本体１の爪４に圧入され、携帯電話無線機本体１の軸受け部５に固定される。
【００３０】
ツマミ３の凸８は携帯電話無線機本体１の凹９、凹１０にツマミ３の回転角度に応じて係合する。
携帯電話無線機本体１にはツマミ３の操作表示が付され、「ＬＯＣＫ」はこの方向にツマミ３を回動すると、凸８に凹９が係合し、バッテリー２が固定、保持されることを示す。
ツマミ３の操作表示「ＦＲＥＥ」はこの方向にツマミ３を回動すると、凸８が凹１０が係合し、バッテリー２の固定、保持が解除されることを示す。
【００３１】
図４はバッテリー２を携帯電話無線機本体１に固定する例を説明する図である。
前述のようにバッテリー２の係止凸１３（図１参照）を携帯電話無線機本体１の係止凹に係合させて、本図に示すように、バッテリー２が携帯電話無線機本体１のスロット１４に入れられる。
バッテリー２には係止凹１１が設けられ、係止凹１１はツマミ３の突起１２が挿入可能にしてある。
【００３２】
図５は図４のバッテリー２が嵌合された携帯電話無線機本体１の線Ａ−Ａについての断面図である。
本図に示すように、固定状態（ＬＯＣＫ）ではツマミ３の突起１２がバッテリー２の係止凹１１に突出し、開放状態（ＦＲＥＥ）ではツマミ３の突起１２が携帯電話無線機本体１の収容部３９Ａ内に収納される。
【００３３】
図６は図４のバッテリー２が嵌合された携帯電話無線機本体１の線Ｂ−Ｂについて開放状態を示す断面図である。
本図に示すように、開放状態（ＬＯＣＫ）では、ツマミ３の腕部７の凸８が携帯電話無線機本体１の凹１０に係合し、所定の回転力を与えなければ、ツマミ３は回転しない。
【００３４】
また、バッテリー２の係止凹１１にはツマミ３の突起１２が挿入されていない。
ここで、ツマミ３を、図４に示す携帯電話無線機本体１の背面における「ＬＯＣＫ」表示の向きに所定の回転力で回転させると、図６に示す凸８と凹１０の係止が腕部７の弾性変形により解除される。
【００３５】
図７は図４のバッテリー２が嵌合された携帯電話無線機本体１の線Ｂ−Ｂについて固定状態を示す断面図である。
本図に示す状態までツマミ３を回転すると、ツマミ３の腕部７の凸８は携帯電話無線機本体１の凹９に係合し、所定の回転力を与えなければツマミ３は回転しない。
この状態でツマミ３の突起１２が係止凹１１に挿入されてバッテリー２が携帯電話無線機本体１へロックされる。
【００３６】
この状態でも、凸８と凹９の係合力以上の回転力を付加しなければ、ツマミ３は回転することはないので、不用意にバッテリー２が脱落することはない。
外すときも同様に、ツマミ３を、図４に示す携帯電話無線機本体１の背面における「ＦＲＥＥ」表示の向きに回転させると、図７に示すツマミ３の凸８と携帯電話無線機本体１の凹９の係止がツマミ３の腕部７の弾性変形により解除される。
【００３７】
解除後、図６に示す状態まで回転すると、ツマミ３の突起１２とバッテリー２の係止１１の係止が解除され、ツマミ３の突起１２が携帯電話無線機本体１内に完全に収納される。
図６に示すように、ツマミ３の凸８と携帯電話無線機本体１の凹１０が係止しているため、不用意にツマミ３が回転することがないので、この状態で、バッテリー２を携帯電話無線機本体１から取り外すことができる。
【００３８】
このように、ツマミの構造についても従来の密封されていない構造から、密閉された構造にすることが可能となり、ツマミから携帯電話無線機本体内への水分の侵入を防ぐことも可能になる。
また、バッテリーの取り外し時に、従来ではツマミを開放状態に保持し続ける必要があるが、本発明ではそのような必要が無く、ツマミを開放側（ＦＲＥＥ）へ回転させた後、片手で携帯電話無線機本体を保持し、片手でバッテリーを取り扱うことが可能になるので、使い勝手の向上を図ることが可能になる。
【００３９】
図８は図１における携帯電話無線機のバッテリー嵌合構造について別の例を示す図である。本図（ａ）は携帯電話無線機の背面図であり、本図（ｂ）は図８（ａ）の線Ｄ−Ｄについての断面図であり、本図（ｃ）はツマミ取付前の携帯電話無線機の背面図である。
図８（ａ）に示す携帯電話無線機には、図１に示すと同様に、携帯電話無線機本体１、ツマミ２２、バッテリー２３が設けられ、ツマミ２２は本図に表示される「回転方向」に回転を行う。
【００４０】
図８（ａ）、（ｃ）に示すように、携帯電話無線機本体２１には、スロット３２、ツマミ係止凹４２が設けられ、バッテリー２３にはツマミ係止凹３３がそれぞれ設けられ、ツマミ係止凹４２、ツマミ係止凹３３にはツマミ２２が取り付けられる。
携帯電話無線機本体２１のツマミ係止凹４２には軸受穴２４、凹Ｃ２５、凹Ｄ２６が設けられる。
【００４１】
図８（ｂ）に示す、携帯電話無線機本体２１のツマミ係止凹４２の凹Ａ２５は携帯電話無線機本体１にバッテリー２３が固定されたとき、ツマミ２２の不用意な回転を防止し、バッテリー２３の不用意な脱落を防止するために使用される。また、携帯電話無線機本体２１のツマミ係止凹４２の凹Ａ２６は携帯電話無線機本体２１に対するバッテリー２３の固定を解除したときに、ツマミ２２の不用意な回転を防止し、バッテリー２３を確実に取り外すために使用される。
【００４２】
図９は図８のツマミ２２を示す図である。本図（ａ）はツマミ２２の正面図であり、本図（ｂ）は本図（ａ）の線Ｅ−Ｅについての断面図であり、本図（ｃ）は本図（ａ）のツマミ２２の側面図であり、本図（ｄ）はツマミ２２の裏面図であり、本図（ｅ）は本図（ｄ）のツマミ２２の下側側から見た側面図である。
【００４３】
本図に示すようにツマミ２２には係止部４３が設けられ、係止部４３はツマミ２２の円板を切り欠いた部分の反対側の部分に位置し、バッテリー２３を押さえるために使用される。
本図（ｂ）に示すように、ツマミ２２の切り欠いた部分付近には円錐台の割軸２７、腕部２８、腕部２８上の凸２９が設けられる。
【００４４】
腕部２８はツマミ２２の切り欠いた部分の付近に切り込みを入れ、弾性変形可能にしてある。
ツマミ２２の腕部２８の凸２９は、図８（ｃ）の携帯電話無線機本体２１のツマミ係止凹４２の凹Ａ２５、凹Ａ２６と係合し、バッテリー２３の不用意な脱落の防止、確実な取り外しを行うために使用される。
【００４５】
ツマミ２２の割軸２７を弾性変形させ、図８に示すように、携帯電話無線機本体２１のツマミ係止凹４２の軸穴２４に圧入することにより、ツマミ２２が携帯電話無線機本体２１に固定される。
バッテリー２３を携帯電話無線機本体２１に取り付けるには、図８に示すように、携帯電話無線機本体２１の係止凹３０にバッテリー２３の係止凹３１を係合させ、バッテリー２３を携帯電話無線機本体２１のスロット３２内に入れる。
【００４６】
ツマミ２２を１８０度回転し、ツマミ２２の腕部２８を弾性変形させ、凸２９を凹Ｄ２６の係止から解除し、凹Ｃ２５に係合させることにより、バッテリー２３のツマミ係止凹３３を図９に示すツマミ２２の係止部４３で押さえる。
このようにして、ツマミ２２の円周方向でバッテリー２３を押さえつけることができるため、携帯電話無線機本体２１の長手方向だけでなく、同時に左右のガタも押さえることができる。
【００４７】
また、図８に示すように、ツマミ２２の割軸２７を弾性変形させ、外側から携帯電話無線機本体２１に圧入させるだけの作業になるため、組立工数を削減することが可能になる。
また、ツマミ２２に携帯電話無線機本体２１の内側への貫通穴が無いことから、水分の携帯電話無線機本体２１への侵入を防ぐことが可能になる。
【００４８】
【発明の効果】
以上説明したように、本発明によれば、ツマミを回転させることにより、バッテリーを嵌合させるようにしたので、従来必要とされていたスプリングを不要としたことにより、部品数、組立工数の削減可能となり、且つ、ツマミに携帯電話無線機本体の内側への貫通穴が無いことから、水分の携帯電話無線機本体への侵入を防ぐことが可能になり、密閉構造が可能となる。このためコスト低減と生産性向上への寄与、片手で操作ができるので、エンドユーザーの取り扱い性の向上が可能になる。
【図面の簡単な説明】
【図１】本発明に係る携帯電話無線機のバッテリー嵌合構造を示す図である。
【図２】図１における携帯電話無線機本体１の爪４、軸受け部５の付近部分を拡大した部分拡大図である。
【図３】図１におけるツマミ３の構造を示す図である。
【図４】バッテリー２を携帯電話無線機本体１に固定する例を説明する図である。
【図５】図４のバッテリー２が嵌合された携帯電話無線機本体１の線Ａ−Ａについての断面図である。
【図６】図４のバッテリー２が嵌合された携帯電話無線機本体１の線Ｂ−Ｂについて開放状態を示す断面図である。
【図７】図４のバッテリー２が嵌合された携帯電話無線機本体１の線Ｂ−Ｂについて固定状態を示す断面図である。
【図８】図１における携帯電話無線機のバッテリー嵌合構造について別の例を示す図である。
【図９】図８のツマミ２２を示す図である。
【図１０】従来の携帯電話無線機のバッテリー嵌合構造を示す図である。
【図１１】図１０のバッテリー１９が嵌合された携帯電話無線機本体１５の線Ｃ−Ｃについての断面図である。
【符号の説明】
１、２１…携帯電話無線機本体
２、２３…バッテリー
３、２２…ツマミ
３Ａ…上段部
４…爪
５…軸受け部
６…回転軸
７、２８…腕部
８、２９…凸
９…凹Ａ
１０…凹Ａ
１１…係止
１２…突起
１３…係止凸
１４、３２…スロット
２４…軸受穴
２７…割軸
３０、３１…係止凹
３３、３９、４２…ツマミ係止凹
３９Ａ…収容部
４３…係止部
【図１】
0003542929.tif 000002
【図２】
0003542929.tif 000003
【図３】
0003542929.tif 000004
【図４】
0003542929.tif 000005
【図５】
0003542929.tif 000006
【図６】
0003542929.tif 000007
【図７】
0003542929.tif 000008
【図８】
0003542929.tif 000009
【図９】
0003542929.tif 000010
【図１０】
0003542929.tif 000011
【図１１】
0003542929.tif 000012